(57)【要約】【課題】高速スクロール中でもユーザが表示画面上から項目の情報を読み取り易くする。【解決手段】情報を表示する表示手段２、３と、この表示手段２、３が表示する情報を、スクロール速度を可変可能にスクロールする操作手段４、５、７と、操作手段４、５、７によるスクロール速度が所定値以上または所定値を超えるときは、スクロール速度が所定値未満または所定値以下の速さのときに比べ、表示手段２、３に表示する情報のサイズを小さくすると共に表示手段２、３に表示される項目の列挙数を増加させる制御手段６と、を有する。【選択図】図１
2009289101.tif 000002
【特許請求の範囲】
【請求項１】
情報を表示する表示手段と、
この表示手段が表示する情報を、スクロール速度を可変可能にスクロールする操作手段と、
上記操作手段によるスクロール速度が所定値以上または所定値を超えるときは、上記スクロール速度が所定値未満または所定値以下の速さのときに比べ、上記表示手段に表示する情報のサイズを小さくすると共に上記表示手段に表示される項目の列挙数を増加させる制御手段と、
を有することを特徴とする情報表示装置。
【請求項２】
前記制御手段は、前記スクロール速度が増加すると前記表示手段に表示される文字のサイズを小さくすることを特徴とする請求項１記載の情報表示装置。
【請求項３】
前記制御手段は、前記スクロール速度が増加すると前記表示手段に表示される画像のサイズを小さくすることを特徴とする請求項１記載の情報表示装置。
【請求項４】
前記操作手段は、前記表示手段において表示する情報のスクロール面における全方向に対してスクロール指示が可能であり、
前記制御手段は、前記操作手段におけるスクロール指示方向のうち前記表示手段によりスクロール表示可能な方向の速度成分に基づきスクロール速度を判断する、
ことを特徴とする請求項１記載の情報表示装置。
【請求項５】
情報を表示する表示ステップと、
この表示ステップにより表示される情報を、スクロール速度を可変可能にスクロールする操作ステップと、
上記操作ステップによるスクロール速度が所定値以上または所定値を超えるときは、上記スクロール速度が所定値未満または所定値以下の速さのときに比べ、上記表示ステップにおいて表示する情報のサイズを小さくすると共に上記表示ステップにおいて表示される項目の列挙数を増加させる制御ステップと、
を有することを特徴とする情報表示方法。
【請求項６】
情報処理装置にインストールすることにより、その情報処理装置に実現する情報表示装置としての機能として、
情報を表示する表示機能と、
この表示機能が表示する情報を、スクロール速度を可変可能にスクロールする操作機能と、
上記操作機能によるスクロール速度が所定値以上または所定値を超えるときは、上記スクロール速度が所定値未満または所定値以下の速さのときに比べ、上記表示機能に表示する情報のサイズを小さくすると共に上記表示機能に表示される項目の列挙数を増加させる制御機能と、
を実現することを特徴とするプログラム。
【発明の詳細な説明】
【技術分野】
【０００１】
本発明は、情報表示装置および情報表示方法ならびにプログラムに関する。
【背景技術】
【０００２】
複数の情報の中からユーザが所望する情報を検索し易くするための情報表示装置がある。この情報表示装置は、表示画面上に複数の項目を列挙してリスト表示する。ユーザは、表示画面上にリスト表示された項目を閲覧して選択する。このとき、ユーザは、所望する情報を含む項目が表示画面上に見当たらないときには、リスト表示をスクロールすることによって、これまで表示されていなかった項目を表示する。このようにスクロールすることによってユーザは全ての項目を閲覧することができる（特許文献１参照）。
【０００３】
このような情報表示装置では、ユーザのスクロール操作を簡単化するためにトラックボールやホイールといった入力機器が利用される。トラックボールについては、特許文献２参照。図８は、トラックボール３０を示す図である。図９は、ホイール４０を示す図である。図８に示すトラックボール３０は、ユーザがトラックボール３０を前後左右の任意の方向に回すことにより、表示画面上に列挙された項目上をカーソルが上下左右の任意の方向に移動する。また、図９に示すホイール４０は、ユーザがホイール４０を前後の任意の方向に回すことにより、表示画面上に列挙された項目上をカーソルが上下の任意の方向に移動する。なお、ホイール４０の場合には、ホイール４０が設置されるマウス４１を前後左右に動かすことによってもカーソルを上下左右に動かすことができる。
【０００４】
さらに、カーソルが表示画面の外にまで移動しようとすると、表示のスクロールが開始される。また、このとき、トラックボール３０あるいはホイール４０の回転速度に応じてスクロールの速さを可変することができる。すなわち、ユーザは、表示画面上に列挙された項目を閲覧したときに、ユーザが所望する情報を含む項目がリスト上の全く別の箇所に有ることがわかると、素早くリスト表示の転換を図る。このため、ユーザは、トラックボール３０あるいはホイール４０を高速に動かす。情報表示装置は、ユーザのこのような操作に追従してスクロールの速さを可変する。なお、スクロールの速さ（スクロール速度）とは、単位時間当りにスクロールさせる情報の列挙数（すなわち行毎または列毎に表示される項目数）である。また、特許文献３には、トラックボール３０やホイール４０ではなく、キー操作によりスクロール速度をコントロールする情報表示装置が開示されている。
【０００５】
【特許文献１】特開平７−３３４１４５号公報
【特許文献２】特開２００２−１６９６５５号公報
【特許文献３】特開２００７−９４９７４号公報
【発明の開示】
【発明が解決しようとする課題】
【０００６】
上述したように、従来の情報表示装置では、ユーザの操作に応じてスクロールの速さを可変することができる。しかしながら、高速スクロールの途中では、表示画面上に表示された項目の移動速度が速いため、表示画面上の項目から必要な情報を読み取ることは困難となる。
【０００７】
特に、情報の表示サイズが大きい場合は表示画面上に同時に表示される情報の列挙数が、情報の表示サイズが小さい場合に比べると少ない。スクロール速度とは、単位時間当りにスクロールさせる情報の列挙数である。したがって、表示画面上に同時に表示される情報の列挙数が少ない状態と多い状態とで同じスクロール速度によりスクロールを行うと、情報の列挙数が少ない状態の方が情報の列挙数が多い状態と比べて項目の移動速度は速くなる。したがって、情報の表示サイズが大きい場合に高速スクロールを行うと、情報の読み取りはほとんど不可能となる。一方、情報の表示サイズを小さくすると、スクロールしていないときや低速のスクロールの際の情報の読み取りが困難となる。
【０００８】
本発明は、このような背景の下に行われたものであって、スクロールしていないときや低速スクロール時に加え、高速スクロール中でもユーザが情報を読み取り易い情報表示装置および情報表示方法ならびにプログラムを提供することを目的とする。
【課題を解決するための手段】
【０００９】
本発明の情報表示装置は、情報を表示する表示手段と、この表示手段が表示する情報を、スクロール速度を可変可能にスクロールする操作手段と、操作手段によるスクロール速度が所定値以上または所定値を超えるときは、スクロール速度が所定値未満または所定値以下の速さのときに比べ、表示手段に表示する情報のサイズを小さくすると共に表示手段に表示される項目の列挙数を増加させる制御手段と、を有することを特徴とする。
【００１０】
このとき、制御手段は、スクロール速度が増加すると表示手段に表示される文字のサイズを小さくすることができる。または、制御手段は、スクロール速度が増加すると表示手段に表示される画像のサイズを小さくすることができる。
【００１１】
また、操作手段は、表示手段において表示する情報のスクロール面における全方向に対してスクロール指示が可能であるような場合には、制御手段は、操作手段におけるスクロール指示方向のうち表示手段によりスクロール表示可能な方向の速度成分に基づきスクロール速度を判断することができる。
【００１２】
また、本発明を情報表示方法としての観点から観ることもできる。すなわち、本発明の情報表示方法は、情報を表示する表示ステップと、この表示ステップにより表示される情報を、スクロール速度を可変可能にスクロールする操作ステップと、操作ステップによるスクロール速度が所定値以上または所定値を超えるときは、スクロール速度が所定値未満または所定値以下の速さのときに比べ、表示ステップにおいて表示する情報のサイズを小さくすると共に表示ステップにおいて表示される項目の列挙数を増加させる制御ステップと、を有することを特徴とする。
【００１３】
また、本発明をプログラムとしての観点から観ることもできる。すなわち、本発明のプログラムは、情報処理装置にインストールすることにより、その情報処理装置に実現する情報表示装置としての機能として、情報を表示する表示機能と、この表示機能が表示する情報を、スクロール速度を可変可能にスクロールする操作機能と、操作機能によるスクロール速度が所定値以上または所定値を超えるときは、スクロール速度が所定値未満または所定値以下の速さのときに比べ、表示機能に表示する情報のサイズを小さくすると共に表示機能に表示される項目の列挙数を増加させる制御機能と、を実現することを特徴とする。
【発明の効果】
【００１４】
本発明によれば、高速スクロール中でもユーザが情報を読み取り易い情報表示装置を実現できる。
【発明を実施するための最良の形態】
【００１５】
本発明の実施の形態に係る情報表示装置２０の構成について図１を参照して説明する。図１は、本発明の実施の形態に係る情報表示装置２０のブロック構成図である。情報表示装置２０は、図１に示すように、表示される情報を記憶する記憶部１と、情報を表示する表示手段となる表示部２と、制御部１０の一部となるリスト表示制御部３とを有する。
【００１６】
リスト表示制御部３は、記憶部１に記憶された情報を含む複数の項目を列挙して表示部２に表示するリスト表示手段となる。すなわち、リスト表示制御部３は、記憶部１に記憶されている情報を取り込み、複数の項目として整理された情報を生成して表示部２に表示する。例えば、リスト表示制御部３は、記憶部１に記憶されている情報の中からユーザが指定したキーワードを含む情報のみを抽出し、複数の項目として整理して表示部２に表示する。あるいは、リスト表示制御部３は、記憶部１にランダムな順序で記憶されている情報をユーザが指定した規則に従って並べ替え、複数の項目として整理して表示部２に表示する。
【００１７】
操作部４は、ユーザがスクロール操作をする部分で、トラックボール３０などが該当する。すなわち、操作部４は、既に説明したトラックボール３０、ホイール４０あるいは操作キーなどを備えている。スクロール制御部５は、操作部４と共に操作手段を構成する。制御部１０は、リスト表示制御部３に加え、スクロール制御部５と、列挙数変更制御部６とを有する。スクロール制御手段であるスクロール制御部５は、リスト表示制御部３が表示部２に表示する項目を操作部４からの操作入力に従ってスクロールする。スクロール制御部５は、スクロール速度を可変するスクロール速度可変手段であるスクロール速度制御部７を備える。
【００１８】
スクロール速度制御部７は、操作部４となるトラックボール３０などの操作速度の情報に従ってリスト表示制御部３に対してスクロール速度の指示を与える。具体的には、スクロール速度制御部７は、ユーザがトラックボール３０などを速く操作すればするほどより速いスクロール速度をリスト表示制御部３に対して指示する。
【００１９】
また、スクロール速度制御部７は、列挙数変更手段である列挙数変更制御部６に対し、スクロール速度情報を通知する。列挙数変更制御部６は、スクロール速度制御部７から通知されたスクロール速度の増減に応じてリスト表示制御部３が表示部２に表示する文字情報または画像情報のサイズを増減するようにリスト表示制御部３に対して指示を送出する。すなわち、表示部２に表示される情報が文字であると文字サイズを変え、画像の情報であると画像サイズを変更する。表示される情報が文字と画像との両者であると、文字と画像のサイズを同時に拡大したり、縮小したりする。
【００２０】
なお、表示部２に表示される文字サイズまたは画像サイズが小さければ小さいほど表示画面上に表示される項目の列挙数は増加する。これにより、列挙数変更制御部６は、スクロール速度の増減に応じてリスト表示制御部３が表示部２に表示する項目の列挙数を増減することができる。
【００２１】
次に、スクロール速度制御部７が行うスクロール速度指示およびスクロール速度情報送出の処理手順について図２を参照して説明する。また、列挙数変更制御部６が行う文字サイズまたは画像サイズの指示についての処理手順を図３のフローチャートを参照して説明する。図２は、スクロール速度制御部７が行うスクロール速度指示およびスクロール速度情報送出の処理手順を示すフローチャートである。図３は、列挙数変更制御部６が行う文字サイズまたは画像サイズの指示についての処理手順を示すフローチャートである。なお、ここでは便宜上、操作部４がトラックボール３０であるとして説明する。また、トラックボール３０は、その回転を検出する磁界センサ（図示省略）などによりパルス信号が生成される。従って、スクロール速度制御部７は、操作部４から送信されてくるパルス信号の数を単位時間毎にカウントすることによってトラックボール３０の回転速度を計測することができる。また、操作部４から送信されてくるパルス信号の送信元となる磁界センサの検出方向（上下方向の回転を検出する磁界センサか、あるいは、左右方向の回転を検出する磁界センサか）を分析することによりトラックボール３０の回転方向を計測することができる。これにより、スクロール速度制御部７は、トラックボール３０の３６０度全ての方向への回転速度および回転方向を検出することができる。
【００２２】
図２に示すように、スクロール速度制御部７は、操作部４におけるトラックボール３０の操作を監視する（ステップＳ１）。スクロール速度制御部７は、操作部４からパルス信号が送られて来ることによりトラックボール３０の操作を検出する（ステップＳ２のＹｅｓ）。スクロール速度制御部７は、操作部４から送られて来た単位時間当りのパルス信号数に比例してスクロール速度を決定する。また、このパルス信号の送信元となる磁界センサの検出方向を分析することにより、スクロール方向を決定する（ステップＳ３）。スクロール速度制御部７は、決定したスクロール速度および方向をリスト表示制御部３に対して指示すると共に、決定したスクロール速度の情報を列挙数変更制御部６に対して送出する（ステップＳ４）。
【００２３】
また、図３に示すように、列挙数変更制御部６は、スクロール速度制御部７からスクロール速度情報を受信する（ステップＳ１０）。このとき、列挙数変更制御部６は、スクロール速度情報が示すパルス信号数が閾値未満であれば（ステップＳ１１のＹｅｓ）、文字サイズまたは／および画像サイズを（大）とする指示をリスト表示制御部３に与える（ステップＳ１２）。そして、リスト表示制御部３は、その指示に従い、文字サイズまたは／および画像サイズを（大）とする。このときのサイズはスクロールする前の大きさと同一である。また、スクロール速度情報が示すパルス信号数が閾値以上であれば（ステップＳ１１のＮｏ）、リスト表示制御部３は、文字サイズまたは／および画像サイズは（小）とする（ステップＳ１３）。なお、文字サイズまたは／および画像サイズの（大）および（小）は、それぞれ予め定められているサイズである。また、この予め定められたサイズの情報は、リスト表示制御部３が記憶しているものとする。なお、ステップＳ１３におけるサイズでの表示は、表示行数（または表示列数）がステップＳ１２における表示行数（または表示列数）より多いものとする。
【００２４】
なお、図３の例では、スクロール速度制御部７は、１つの閾値を用いている。しかしながら、スクロール速度制御部７が用いる閾値の数は２以上でもよい。２つの閾値ＡおよびＢを用いて列挙数変更制御部６が行う文字サイズまたは／および画像サイズの指示についての処理手順を図４のフローチャートを参照して説明する。図４は、２つの閾値ＡおよびＢを用いて列挙数変更制御部６が行う文字サイズまたは画像サイズの指示についての処理手順を示すフローチャートである。
【００２５】
図４に示すように、列挙数変更制御部６は、スクロール速度制御部７からスクロール速度情報を受信する（ステップＳ２０）。このとき、リスト表示制御部３は、スクロール速度情報が示すパルス信号数が閾値Ａ未満であれば（ステップＳ２１のＹｅｓ）、文字サイズまたは／および画像サイズは（大）とする（ステップＳ２２）。このとき、表示行数は少ないものとなる。
【００２６】
また、スクロール速度情報が示すパルス信号数が閾値Ａ以上であり（ステップＳ２１のＮｏ）、閾値Ｂ未満であれば（ステップＳ２３のＹｅｓ）、列挙数変更制御部６は、文字サイズおよび画像サイズは（中）とする指示をリスト表示制御部３に行う（ステップＳ２４）。このとき、表示行数は中程度となる。また、スクロール速度情報が示すパルス信号数が閾値Ａ以上であり（ステップＳ２１のＮｏ）、閾値Ｂ以上であれば（ステップＳ２３のＮｏ）、列挙数変更制御部６は、文字サイズまたは／および画像サイズは（小）とする指示をリスト表示制御部３に行う（ステップＳ２５）。このとき、表示行数は最も多くなる。なお、文字サイズまたは／および画像サイズの（大）、（中）、（小）は、予め定められたサイズである。また、この予め定められたサイズの情報は、リスト表示制御部３が記憶しているものとする。
【００２７】
次に、情報表示装置２０が行う情報表示の具体例について図５から図７を参照して説明する。図５は、文字情報がリスト表示されている場合における情報表示装置２０が行う情報表示の具体例を示す図である。図６は、画像情報がリスト表示されている場合における情報表示装置２０が行う情報表示の具体例を示す図である。図７は、文字情報および画像情報がリスト表示されている場合における情報表示装置２０が行う情報表示の具体例を示す図である。
【００２８】
図５〜図７では、それぞれ（Ａ）と（Ｃ）との間の変化が図３のフローによるものとなり、（Ａ）、（Ｂ）、（Ｃ）の間の変化が図４のフローによるものとなっている。各図では、通常時（低速スクロール時）は、４項目の情報がリスト表示されている。また、中速スクロール時は、６項目の情報がリスト表示されている。また、高速スクロール時は、８項目の情報がリスト表示されている。スクロール速度とは、単位時間当りにスクロールさせる情報の列挙数（行毎または列毎の項目数）である。従って、スクロール速度が速くなるほど表示される項目の列挙数が増加することにより、１つの項目が表示画面上を流れる速度をほぼ一定に保つことができる。これにより、ユーザは、スクロールの速度が変化しても表示画面上の１つの項目を目で追う速度は変化しないことになる。よって、ユーザは、スクロール速度が変化しても項目の情報内容を目視確認する容易さをほぼ一定に保つことができる。これにより、情報表示装置２０により、高速スクロール中でもユーザが表示画面上から項目の情報を読み取り易い情報表示装置を実現できる。
【００２９】
なお、トラックボール３０は、その性質上３６０度いずれへの方向に対しても回転可能である。このため、表示部２が表示する情報の配列が３６０度いずれへの方向に対しても配列されている場合は、３６０度いずれへの方向にスクロールを行ってもよい。しかしながら、図５〜図７に示すように、縦方向のみのスクロールである場合には、トラックボール３０のいずれへの回転方向に対して得られるパルス信号より縦方向のみの成分を導出する。
【００３０】
（情報表示装置２０の応用例）
次に、情報表示装置２０の応用例について説明する。図１において、情報表示装置２０は再生部８を有する。例えば、再生部８は楽曲再生装置である。楽曲再生装置である再生部８は、ユーザが表示画面上の項目から選択した選曲結果の通知を操作部４から受け取り、選曲された楽曲を再生する。このような応用例においては、図５で例示した文字情報（Ｔｉｔｌｅ０１〜０８）は、楽曲またはアルバムのタイトルやミュージシャンの名前である。また、図６で例示した画像情報は、アルバムのジャケット画像やミュージシャンの画像である。また、図７で示した文字情報および画像情報は、楽曲またはアルバムのタイトルやミュージシャンの名前および、これに対応するアルバムのジャケット画像やミュージシャンの画像である。このように情報表示装置２０を楽曲再生装置に応用することにより、ユーザが楽曲を選択し易い楽曲再生装置を実現することができる。
【００３１】
（プログラムの実施例）
情報処理装置にインストールすることにより、その情報処理装置に、本発明の実施の形態に係る情報表示装置２０の機能を実現するプログラムの実施例を説明する。ここで、情報処理装置とは、汎用のコンピュータ装置である。
【００３２】
本実施例のプログラムは記録媒体に記録されることにより、情報処理装置は、この記録媒体を用いて本実施例のプログラムをインストールすることができる。あるいは、本実施例のプログラムを保持するサーバからネットワークを介して直接、情報処理装置に本実施例のプログラムをインストールすることもできる。
【００３３】
これにより、情報処理装置を用いて、本発明の実施の形態に係る情報表示装置２０のリスト表示制御部３、スクロール制御部５、列挙数変更制御部６、スクロール速度制御部７の機能を実現することができる。なお、これ以外の機能についてもソフトウェアによって実現可能な機能については、本実施例のプログラムによって実現してもよい。
【００３４】
なお、本実施例のプログラムは、情報処理装置によって直接実行可能なものだけでなく、ハードディスクなどにインストールすることによって実行可能となるものも含む。また、圧縮されたり、暗号化されたりしたものも含む。
【００３５】
（その他の実施の形態）
本発明の実施の形態は、本発明の要旨を逸脱しない限り、様々に変更が可能である。例えば、上述の実施の形態では、便宜上、操作部４にトラックボール３０を用いるとして説明した。しかしながら、トラックボール３０に代えてマウス４１を用いてもよい。さらに、マウス４１が備えるホイール４０を併用してもよい。ホイール４０は、縦方向のスクロール操作に利用する。マウス４１は、トラックボール３０と同様に、３６０度いずれへの方向にも操作可能である。ただし、マウス４１のポインタは表示画面上の端部まで達すると、そこで止まってしまう。よって、ポインタが表示画面上を移動して端部に達するまでの間のポインタの移動速度によって操作速度を検出することが好ましい。
【００３６】
あるいは、操作部４が、タクティールスイッチ等を用いた押しボタンであってもよい。すなわち、押しボタンの短押し時には１項目だけスクロールし、押しボタンの長押し時には高速スクロールとすればよい。あるいは、押しボタンの短押し時には１項目だけスクロールし、押しボタンの連続２回押し時には中速スクロールとし、押しボタンの連続３回押し時には高速スクロールとすればよい。
【００３７】
上述の実施の形態では、低速スクロール時とスクロールしていないときの表示サイズとを同じとしているが、スクロールしていないときは、若干小さいサイズの表示とし、低速スクロールのときは、スクロールしていないときの表示より若干大きくしてもよい。このようにするとスクロールを開始してもスクロールしていないときと同様に見え易いものとなる。
【００３８】
また、上述の実施の形態では文字サイズや画像サイズを変更する場合に、縦横同一の拡大または縮小を行うようにしているが、スクロールする方向、例えば、図５〜図７では、画面の縦方向のみ拡大したり縮小するようにしてもよい。特に文字の場合は、多少の変形があっても読み取れる程度であれば問題無いので、このような縦横が違う倍率とすることに適している。また、文字や画像のサイズではなく、項目間の隙間を変えるようにしてもよい。すなわち、図５（Ａ）の場合には、「Ｔｉｔｌｅ  ０１」と「Ｔｉｔｌｅ  ０２」との隙間をほとんど無くすことで、図５（Ｃ）の「Ｔｉｔｌｅ  ０１「と「Ｔｉｔｌｅ  ０２」との関係と同一状態とでき、図５（Ａ）の文字の大きさでも図５（Ｃ）の行数と同じくできる。また、この隙間とサイズの変更を組み合わせたものとしてもよい。
【００３９】
また、表示手段となる表示部２は、液晶、有機ＥＬ(organic electroluminescence)などにより実現することができる。制御手段となる制御部１０は、ＣＰＵ(Central Processing Unit)などにより実現することができる。記憶部１としては、ＨＤＤ(Hard Disk Drive)、半導体記憶装置などにより実現することができる。
【００４０】
また、リスト表示手段としては表示部２およびリスト表示制御部３を例示したがこれら２つの機能ブロックを一体化して制御部１０を含む１つのリスト表示部としてもよい。また、スクロール制御手段としてはスクロール速度可変手段であるスクロール速度制御部７を含むスクロール制御部５を例示したがこれらの２つの機能ブロックを分離して２つの機能ブロックとしてもよい。また、列挙数変更手段としては列挙数変更制御部６を例示したがこの機能ブロックは、スクロール速度制御部７あるいはリスト表示制御部３を含む機能ブロックとしてもよい。
【００４１】
また、上述の実施の形態ではリスト表示する例を示したがリスト表示ではなく、数行にわたる文字情報、縦横に並ぶ画像情報などにも本発明を適用することができる。
【産業上の利用可能性】
【００４２】
本発明は、情報を表示する表示部を有するあらゆる装置に利用することができる。
【図面の簡単な説明】
【００４３】
【図１】本発明の実施の形態に係る情報表示装置のブロック構成図である。
【図２】図１に示した情報表示装置におけるスクロール速度制御部の処理手順を示すフローチャートである。
【図３】図１に示した情報表示装置における列挙数変更制御部の処理手順を示すフローチャートである。
【図４】図１に示した情報表示装置における列挙数変更制御部の図３とは異なる処理手順を示すフローチャートである。
【図５】図１に示した情報表示装置における表示部の表示例のうち文字情報のみの表示例を示す図である。
【図６】図１に示した情報表示装置における表示部の表示例のうち画像情報のみの表示例を示す図である。
【図７】図１に示した情報表示装置における表示部の表示例のうち文字情報および画像情報の双方による表示例を示す図である。
【図８】トラックボールを説明するための図である。
【図９】ホイールを説明するための図である。
【符号の説明】
【００４４】
１  記憶部、２  表示部（表示手段）、３  リスト表示制御部（リスト表示手段、制御部の一部）、４  操作部、５  スクロール制御部（スクロール手段、制御部の一部）、６  列挙数変更制御部（列挙数変更手段、制御部の一部）、７  スクロール速度制御部（スクロール速度可変手段、制御部の一部）、８  再生部、２０  情報表示装置、３０  トラックボール、４０  ホイール、４１  マウス
【図１】
2009289101.tif 000003
【図２】
2009289101.tif 000004
【図３】
2009289101.tif 000005
【図４】
2009289101.tif 000006
【図５】
2009289101.tif 000007
【図６】
2009289101.tif 000008
【図７】
2009289101.tif 000009
【図８】
2009289101.tif 000010
【図９】
2009289101.tif 000011